(57)【特許請求の範囲】
【請求項１】
データの通信が可能な端末装置と、該端末装置と通信可能なサーバとから構成された通信システムにおいて、
前記端末装置は、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを前記サーバへ送信する送信部と、
当該端末装置の外部からの操作を受け付ける操作部と、
前記操作部が受け付けた操作に基づいて、前記表示部が前記データを表示する表示モードを設定する表示モード設定部とを有し、
前記サーバは、
前記端末装置から送信されてきたデータに付与されている制限信号が利用を制限する旨を示すものである場合、該データを利用不可能なデータとして保存し、それ以外の場合は、該データを利用可能なデータとして保存する記憶部を有し、
前記制限信号付与部は、前記表示部が前記データを表示しているときに前記表示モード設定部が前記表示部に前記データを所定の倍率よりも小さな倍率で縮小して表示させている場合、該データの利用を制限する旨を示した前記制限信号を付与することを特徴とする通信システム。
【請求項２】
データの通信が可能な端末装置と、該端末装置と通信可能なサーバとから構成された通信システムにおいて、
前記端末装置は、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを前記サーバへ送信する送信部とを有し、
前記サーバは、
前記端末装置から送信されてきたデータに付与されている制限信号が利用を制限する旨を示すものである場合、該データを利用不可能なデータとして保存し、それ以外の場合は、該データを利用可能なデータとして保存する記憶部を有し、
前記端末装置は、折り畳み型端末であり、
前記制限信号付与部は、前記表示部が前記データを表示しているときに当該端末装置が折り畳まれた場合、該データの利用を制限する旨を示した前記制限信号を付与することを特徴とする通信システム。
【請求項３】
データの通信が可能な端末装置と、該端末装置と通信可能なサーバとから構成された通信システムにおいて、
前記端末装置は、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを前記サーバへ送信する送信部と、
物体が前記表示部に接近したことを検知する近接センサとを有し、
前記サーバは、
前記端末装置から送信されてきたデータに付与されている制限信号が利用を制限する旨を示すものである場合、該データを利用不可能なデータとして保存し、それ以外の場合は、該データを利用可能なデータとして保存する記憶部を有し、
前記制限信号付与部は、前記表示部が前記データを表示しているときに前記近接センサが前記物体の前記表示部への接近を検知した場合、該データの利用を制限する旨を示した前記制限信号を付与することを特徴とする通信システム。
【請求項４】
請求項１に記載の通信システムにおいて、
前記制限信号付与部は、前記表示部が前記データを表示しているときに前記表示モード設定部が前記表示モードを前記表示部に対する視野角方向を制限する視野角方向制限モードに設定している場合、該データの利用を制限する旨を示した前記制限信号を付与することを特徴とする通信システム。
【請求項５】
請求項１から４のいずれか１項に記載の通信システムにおいて、
前記制限信号付与部は、前記制限信号を１ビットのフラグで示し、前記データの利用を制限する旨を示す場合、前記制限信号を１とし、それ以外の場合は、前記制限信号を０とすることを特徴とする通信システム。
【請求項６】
請求項１から５のいずれか１項に記載の通信システムにおいて、
前記送信部は、所定のタイミングで前記データを前記サーバへ送信することを特徴とする通信システム。
【請求項７】
データの通信が可能な端末装置であって、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを、当該端末装置と通信可能なサーバへ送信する送信部と、
当該端末装置の外部からの操作を受け付ける操作部と、
前記操作部が受け付けた操作に基づいて、前記表示部が前記データを表示する表示モードを設定する表示モード設定部とを有し、
前記制限信号付与部は、前記表示部が前記データを表示しているときに前記表示モード設定部が前記表示部に前記データを所定の倍率よりも小さな倍率で縮小して表示させている場合、該データの利用を制限する旨を示した前記制限信号を付与する端末装置。
【請求項８】
データの通信が可能な端末装置であって、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを、当該端末装置と通信可能なサーバへ送信する送信部とを有し、
当該端末装置は、折り畳み型端末であり、
前記制限信号付与部は、前記表示部が前記データを表示しているときに当該端末装置が折り畳まれた場合、該データの利用を制限する旨を示した前記制限信号を付与する端末装置。
【請求項９】
データの通信が可能な端末装置であって、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを、当該端末装置と通信可能なサーバへ送信する送信部と、
物体が前記表示部に接近したことを検知する近接センサとを有し、
前記制限信号付与部は、前記表示部が前記データを表示しているときに前記近接センサが前記物体の前記表示部への接近を検知した場合、該データの利用を制限する旨を示した前記制限信号を付与する端末装置。
【請求項１０】
データの通信が可能な端末装置と、該端末装置と通信可能なサーバとから構成された通信システムにおけるデータ利用制限方法であって、
前記端末装置が、前記データを表示する処理と、
前記端末装置が、当該端末装置の外部からの操作を受け付ける処理と、
前記受け付けた操作に基づいて、前記データを表示する表示モードを設定する処理と、
前記端末装置が、前記データを表示しているときに前記データを所定の倍率よりも小さな倍率で縮小して表示する表示モードで表示させている場合、該データの利用を制限する旨を示した制限信号を該データに付与する処理と、
前記端末装置が、前記制限信号が付与されたデータを前記サーバへ送信する処理と、
前記サーバが、前記端末装置から送信されてきたデータに付与されている制限信号が利用を制限する旨を示すものである場合、該データを利用不可能なデータとして保存し、それ以外の場合は、該データを利用可能なデータとして保存する処理とを行うデータ利用制限方法。
【請求項１１】
データの通信が可能な端末装置と、該端末装置と通信可能なサーバとから構成された通信システムにおけるデータ利用制限方法であって、
前記端末装置は、折り畳み型端末であり、
前記端末装置が、前記データを表示する処理と、
前記端末装置が、前記データを表示しているときに当該端末装置が折り畳まれた場合、該データの利用を制限する旨を示した制限信号を該データに付与する処理と、
前記端末装置が、前記制限信号が付与されたデータを前記サーバへ送信する処理と、
前記サーバが、前記端末装置から送信されてきたデータに付与されている制限信号が利用を制限する旨を示すものである場合、該データを利用不可能なデータとして保存し、それ以外の場合は、該データを利用可能なデータとして保存する処理とを行うデータ利用制限方法。
【請求項１２】
データの通信が可能な端末装置と、該端末装置と通信可能なサーバとから構成された通信システムにおけるデータ利用制限方法であって、
前記端末装置が、前記データを表示する処理と、
前記端末装置が、前記データを表示しているときに、当該端末装置に設けられた表示部に物体が接近したことを検知する近接センサが前記物体の前記表示部への接近を検知した場合、該データの利用を制限する旨を示した制限信号を該データに付与する処理と、
前記端末装置が、前記制限信号が付与されたデータを前記サーバへ送信する処理と、
前記サーバが、前記端末装置から送信されてきたデータに付与されている制限信号が利用を制限する旨を示すものである場合、該データを利用不可能なデータとして保存し、それ以外の場合は、該データを利用可能なデータとして保存する処理とを行うデータ利用制限方法。
【発明の詳細な説明】
【技術分野】
【０００１】
本発明は、データの利用を制限する通信システム、端末装置およびデータ利用制限方法に関する。
【背景技術】
【０００２】
携帯端末等の端末装置のディスプレイに表示されたデータを閲覧する際、周囲にいる第三者にはそのデータを見られたくないというケースがある。
【０００３】
その要望に応えるため、データを表示しているディスプレイに対する所定の角度の範囲外からは、そのデータを見ることができない機能を具備する端末装置が存在する。
【０００４】
また、近年では、各データ（コンテンツ）に、視野角を制限するかどうかをあらかじめ設定しておき、視野角を制限するように設定されているデータを表示する際、視野角を制限して表示する技術が考えられている（例えば、特許文献１，２参照。）。
【先行技術文献】
【特許文献】
【０００５】
【特許文献１】特開２００６−２５１０５７号公報
【特許文献２】特開２００８−０５２０５８号公報
【発明の概要】
【発明が解決しようとする課題】
【０００６】
近年では、端末装置に保存された写真データや電子メールのデータ等のデータを、他の装置（例えば、通信事業者に設置されているサーバ等）へ自動的に送信（アップロード）して、当該サーバにてこれらのデータのバックアップを行うサービス（以下、バックアップサービスと称する）が存在する。
【０００７】
このようにバックアップとして他の装置に保存されたデータは、通常はそのデータを送信した端末装置からしかアクセスできないように、ユーザＩＤやパスワード等を用いて保護されているが、すべてのデータが保護されているとは限らない。
【０００８】
そのため、バックアップとして他の装置に保存されたデータの中に、第三者からアクセスされたくないデータがある場合、第三者からの当該データへのアクセスを制限するには、そのデータ１つ１つにアクセスを制限する情報を付与しなければならない。そのため、利用者に手間（負担）がかかってしまうという問題点がある。
【０００９】
また、上述した特許文献１，２に記載された技術においては、第三者に見られたくないデータの端末装置上での閲覧防止を行うものであり、バックアップとして他の装置に保存されたもののアクセス制限を行うものではない。
【００１０】
本発明の目的は、上述した課題を解決する通信システム、端末装置およびデータ利用制限方法を提供することである。
【課題を解決するための手段】
【００１１】
本発明の通信システムは、
データの通信が可能な端末装置と、該端末装置と通信可能なサーバとから構成された通信システムにおいて、
前記端末装置は、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを前記サーバへ送信する送信部とを有し、
前記サーバは、
前記端末装置から送信されてきたデータに付与されている制限信号が利用を制限する旨を示すものである場合、該データを利用不可能なデータとして保存し、それ以外の場合は、該データを利用可能なデータとして保存する記憶部を有することを特徴とする。
【００１２】
また、本発明の端末装置は、
データの通信が可能な端末装置であって、
前記データを表示する表示部と、
前記表示部が前記データを表示しているときの当該端末装置の状態に応じて、該データの利用を制限するかどうかを示す制限信号を該データに付与する制限信号付与部と、
前記制限信号が付与されたデータを、当該端末装置と通信可能なサーバへ送信する送信部とを有する。
【００１３】
また、本発明のデータ利用制限方法は、
データの通信が可能な端末装置と、該端末装置と通信可能なサーバとから構成された通信システムにおけるデータ利用制限方法であって、
前記端末装置が、前記データを表示する処理と、
前記端末装置が、前記データを表示しているときの当該端末装置の状態に応じて、該データの利用を制限するかどうかを示す制限信号を該データに付与する処理と、
前記端末装置が、前記制限信号が付与されたデータを前記サーバへ送信する処理と、
前記サーバが、前記端末装置から送信されてきたデータに付与されている制限信号が利用を制限する旨を示すものである場合、該データを利用不可能なデータとして保存し、それ以外の場合は、該データを利用可能なデータとして保存する処理とを行う。
【発明の効果】
【００１４】
以上説明したように、本発明においては、端末装置に保存されたデータのバックアップを自動的に行うサービスにおいて、利用者の意図しないデータの流出を容易に防止することができる。
【図面の簡単な説明】
【００１５】
【図１】本発明の通信システムの実施の一形態を示す図である。
【図２】図１に示した端末装置の内部構造の一例を示す図である。
【図３】本形態におけるデータ利用制限方法のうち、図２に示した端末装置における処理の第１の例を説明するためのフローチャートである。
【図４】本形態におけるデータ利用制限方法のうち、図２に示した端末装置における処理の第２の例を説明するためのフローチャートである。
【図５】本形態におけるデータ利用制限方法のうち、図２に示した端末装置における処理の第３の例を説明するためのフローチャートである。
【図６】図１に示した端末装置の内部構造の他の例を示す図である。
【図７】本形態におけるデータ利用制限方法のうち、図６に示した端末装置における処理を説明するためのフローチャートである。
【図８】本形態におけるデータ利用制限方法のうち、図１に示したサーバにおける処理を説明するためのフローチャートである。
【発明を実施するための形態】
【００１６】
以下に、本発明の実施の形態について図面を参照して説明する。
【００１７】
図１は、本発明の通信システムの実施の一形態を示す図である。
【００１８】
本形態は図１に示すように、端末装置１００と、サーバ２００とから構成されている。
【００１９】
端末装置１００は、サーバ２００との間でデータの通信が可能な通信装置である。例えば、端末装置１００は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置および、タブレットＰＣ（Ｐｅｒｓｏｎａｌ  Ｃｏｍｐｕｔｅｒ）、モバイルＰＣなどの電子メールの送受信や、画像データなどの閲覧が可能な通信装置である。
【００２０】
サーバ２００は、端末装置１００と通信可能な通信装置である。また、サーバ２００は、他の通信装置からもアクセス可能である。
【００２１】
また、サーバ２００には記憶部２１０が設けられている。
【００２２】
記憶部２１０は、端末装置１００から送信されてきたデータを保存する。この保存方法の詳細については、後述する。
【００２３】
なお、図１において端末装置１００とサーバ２００とは、直接接続されているように示しているが、これは説明の便宜上の表示であって、ネットワークを介するものや、他の通信装置を介するものであっても良い。
【００２４】
図２は、図１に示した端末装置１００の内部構造の一例を示す図である。
【００２５】
図１に示した端末装置１００には図２に示すように、記憶部１１０と、操作部１２０と、表示部１３０と、表示モード設定部１４０と、制限信号付与部１５０と、送信部１６０とが設けられている。なお、図２には、図１に示した端末装置１００が具備する構成要素のうち、本発明に関わる構成要素のみを示した。
【００２６】
記憶部１１０は、所定のデータを記憶する。このデータは、画像データであっても良いし、電子メールの本文のようなテキストデータであっても良く、表示部１３０に表示可能なデータである。
【００２７】
操作部１２０は、端末装置１００の外部からの操作を受け付けるボタンキーや、タッチパネル等である。
【００２８】
表示部１３０は、記憶部１１０からデータを読み出して表示するディスプレイである。なお、表示部１３０が記憶部１１０からデータを読み出すタイミングは、操作部１２０が外部から所定の操作を受け付けたときや、端末装置１００にて起動しているアプリケーションによる指示があったときであっても良い。
【００２９】
表示モード設定部１４０は、操作部１２０が受け付けた操作に基づいて、表示部１３０がデータを表示する表示モードを設定する。この表示モードは、表示部１３０に対する視野角方向を制限する視野角方向制限モードや、当該データの表示倍率等、表示部１３０におけるデータの表示に関わるモードである。また、表示モード設定部１４０は、設定した表示モードを制限信号付与部１５０へ通知する。
【００３０】
制限信号付与部１５０は、表示部１３０がデータを表示しているときの端末装置１００の状態に応じて、そのデータの利用を制限するかどうかを示す制限信号を当該データに付与する。このとき、制限信号付与部１５０は、制限信号を１ビットのフラグで示し、データの利用を制限する旨を示す場合、制限信号を「１」とし、それ以外の場合は、制限信号を「０」とするものであっても良い。
【００３１】
また、制限信号付与部１５０は、表示部１３０がデータを表示するときに表示モード設定部１４０が所定の表示モードを設定している場合、そのデータの利用を制限する旨を示した制限信号を当該データに付与するものであっても良い。このとき、制限信号付与部１５０は、表示部１３０がデータを表示するときに表示モード設定部１４０が所定の表示モードを設定していない場合は、そのデータの利用を制限しない旨を示した制限信号を当該データに付与する。
【００３２】
また、制限信号付与部１５０は、表示部１３０がデータを表示しているときに表示モード設定部１４０が表示モードを表示部１３０に対する視野角方向を制限する視野角方向制限モード（覗き見防止モード）に設定している場合、そのデータの利用を制限する旨を示した制限信号を当該データに付与するものであっても良い。このとき、制限信号付与部１５０は、表示部１３０がデータを表示しているときに表示モード設定部１４０が表示モードを視野角方向制限モードに設定していない場合は、そのデータの利用を制限しない旨を示した制限信号を当該データに付与する。この視野角方向制限モードは、表示部１３０に対して、ある範囲の角度からは、表示部１３０に表示されている画像を見ることができ、それ以外の範囲の角度からは、表示部１３０には他の画像が表示されているように見える、または表示部１３０には何も表示されていないように見えるモードであり、一般的に利用されているもので良い。
【００３３】
また、制限信号付与部１５０は、表示部１３０がデータを表示しているときに表示モード設定部１４０が表示部１３０にデータを所定の倍率よりも小さな倍率で縮小して表示させている場合、そのデータの利用を制限する旨を示した制限信号を当該データに付与するものであっても良い。このとき、制限信号付与部１５０は、表示部１３０がデータを表示しているときに表示モード設定部１４０が表示部１３０にデータを所定の倍率よりも小さな倍率で縮小して表示させていない場合は、そのデータの利用を制限しない旨を示した制限信号を当該データに付与する。
【００３４】
また、制限信号付与部１５０は、端末装置１００が折り畳み型端末装置である場合、表示部１３０がデータを表示しているときに端末装置１００が折り畳まれると、そのデータの利用を制限する旨を示した制限信号を当該データに付与するものであっても良い。このとき、制限信号付与部１５０は、表示部１３０がデータを表示しているときに端末装置１００が折り畳まれなければ、そのデータの利用を制限しない旨を示した制限信号を当該データに付与する。ここで、端末装置１００が折り畳まれたかどうかを判定するには、一般的に用いられている手段（例えば、磁石とホール素子との組み合わせ等）で判定すればよい。
【００３５】
また、制限信号付与部１５０は、制限信号を付与したデータを送信部１６０へ出力する。
【００３６】
送信部１６０は、制限信号付与部１５０から出力されてきたデータ（制限信号付き）を所定のタイミングでサーバ２００へ送信する。この送信タイミングは、上述したようなバックアップサービスで用いられているタイミングで良い。
【００３７】
また、サーバ２００に設けられた記憶部２１０は、端末装置１００から送信されてきたデータに付与されている制限信号が利用を制限する旨を示すものである場合、当該データを利用不可能なデータとして保存する。また、記憶部２１０は、端末装置１００から送信されてきたデータに付与されている制限信号が利用を制限しない旨を示すものである場合は、当該データを利用可能なデータとして保存する。例えば、記憶部２１０は、外部（当該データを送信した端末装置１００以外）からアクセス不可能な領域（以下、アクセス不可能領域と称する）と、外部（当該データを送信した端末装置１００以外）からもアクセス可能な領域（以下、アクセス可能領域と称する）とを持っており、端末装置１００から送信されてきたデータに付与されている制限信号が利用を制限する旨を示すものである場合、当該データをアクセス不可能領域に保存し、端末装置１００から送信されてきたデータに付与されている制限信号が利用を制限しない旨を示すものである場合は、当該データをアクセス可能領域に保存するものであっても良い。
【００３８】
このように記憶部２１０に「利用できるデータ」と「利用できないデータ」とを分けて記憶することにより、記憶部２１０に記憶されている「利用できないデータ」を、他の装置からアクセスされることを防ぐことができる。
【００３９】
以下に、本形態におけるデータ利用制限方法のうち、図２に示した端末装置１００における処理について説明する。
【００４０】
図３は、本形態におけるデータ利用制限方法のうち、図２に示した端末装置１００における処理の第１の例を説明するためのフローチャートである。
【００４１】
まず、表示部１３０にデータを表示させるための操作が、操作部１２０にて受け付けられたかどうかが、操作部１２０によって判定される（ステップＳ１）。
【００４２】
表示部１３０にデータを表示させるための操作が、操作部１２０にて受け付けられたことが操作部１２０によって判定されると、当該操作に応じたデータが記憶部１１０から読み出され、表示部１３０に表示される（ステップＳ２）。
【００４３】
その後、表示部１３０がデータを表示しているときに、表示モード設定部１４０によって「視野角方向制限モード」が設定されているかどうかが判定される（ステップＳ３）。
【００４４】
表示モード設定部１４０によって「視野角方向制限モード」が設定されていると判定された場合、制限信号付与部１５０によって、表示部１３０に表示されているデータに制限信号「１」が付与される（ステップＳ４）。
【００４５】
一方、表示モード設定部１４０によって「視野角方向制限モード」が設定されていないと判定された場合は、制限信号付与部１５０によって、表示部１３０に表示されているデータに制限信号「０」が付与される（ステップＳ５）。
【００４６】
なお、ステップＳ３の判定処理は、表示部１３０がデータを表示しているときに、すでに「視野角方向制限モード」が設定されているかどうかだけではなく、「視野角方向制限モード」が設定されたかどうかを判定するものであっても良い。つまり、表示部１３０がデータを表示しているときに、最初は「視野角方向制限モード」に設定されていなかったが、当該データの表示を終了するまでの間に操作部１２０が所定の操作を受け付け、「視野角方向制限モード」に設定された場合、「視野角方向制限モード」が設定されていると判定するものであっても良い。
【００４７】
また、それとは逆に、表示部１３０がデータを表示しているときに、最初は「視野角方向制限モード」に設定されていたが、当該データの表示を終了するまでの間に操作部１２０が所定の操作を受け付け、「視野角方向制限モード」が解除された場合は、「視野角方向制限モード」が設定されていないと判定するものであっても良い。
【００４８】
その後、制限信号が付与されたデータが所定のタイミングで送信部１６０からサーバ２００へ送信される（ステップＳ６）。
【００４９】
なお、制限信号が付与されてからサーバ２００へ送信するまでの間、制限信号が付与された当該データは記憶部１１０に記憶されているものであっても良い。
【００５０】
図４は、本形態におけるデータ利用制限方法のうち、図２に示した端末装置１００における処理の第２の例を説明するためのフローチャートである。
【００５１】
まず、表示部１３０にデータを表示させるための操作が、操作部１２０にて受け付けられたかどうかが、操作部１２０によって判定される（ステップＳ１１）。
【００５２】
表示部１３０にデータを表示させるための操作が、操作部１２０にて受け付けられたことが操作部１２０によって判定されると、当該操作に応じたデータが記憶部１１０から読み出され、表示部１３０に表示される（ステップＳ１２）。
【００５３】
その後、表示部１３０がデータを表示しているときに、表示部１３０に表示されているデータが所定の倍率よりも小さな倍率で縮小して表示されているかどうかが判定される（ステップＳ１３）。これは、操作部１２０にて縮小表示のための所定の操作が受け付けられ、表示部１３０に表示されているデータが表示モード設定部１４０によって所定の倍率よりも小さな倍率で縮小されて表示部１３０に表示されているかどうかを判定することにより実現される。
【００５４】
表示部１３０に表示されているデータが所定の倍率よりも小さな倍率で縮小して表示されている場合、制限信号付与部１５０によって、表示部１３０に表示されているデータに制限信号「１」が付与される（ステップＳ１４）。
【００５５】
一方、表示部１３０に表示されているデータが所定の倍率よりも小さな倍率で縮小して表示されていない場合は、制限信号付与部１５０によって、表示部１３０に表示されているデータに制限信号「０」が付与される（ステップＳ１５）。
【００５６】
なお、ステップＳ１３の判定処理は、表示部１３０がデータを表示しているときに、すでに縮小表示されているかどうかだけではなく、縮小表示が設定されたかどうかを判定するものであっても良い。つまり、表示部１３０がデータを表示しているときに、最初は表示部１３０にてデータが縮小表示されていなかったが、当該データの表示を終了するまでの間に操作部１２０が縮小表示のための所定の操作を受け付け、縮小表示に設定された場合、縮小して表示されていると判定するものであっても良い。
【００５７】
また、それとは逆に、表示部１３０がデータを表示しているときに、最初は縮小表示されていたが、当該データの表示を終了するまでの間に操作部１２０が所定の操作を受け付け、縮小表示が解除された場合は、縮小して表示されていないと判定するものであっても良い。
【００５８】
その後、制限信号が付与されたデータが所定のタイミングで送信部１６０からサーバ２００へ送信される（ステップＳ１６）。
【００５９】
また、縮小表示ではなく、所定の倍率よりも大きな倍率で拡大して表示されているかどうかに基づいて、制限信号を付与するものであっても良い。つまり、所定の倍率よりも大きな倍率で拡大して表示されている場合、表示部１３０に表示されているデータに制限信号「１」が付与され、また、所定の倍率よりも大きな倍率で拡大して表示されていない場合は、表示部１３０に表示されているデータに制限信号「０」が付与されるものであっても良い。
【００６０】
図５は、本形態におけるデータ利用制限方法のうち、図２に示した端末装置１００における処理の第３の例を説明するためのフローチャートである。以下は、端末装置１００が折り畳み型端末装置である場合を例に挙げて説明する。
【００６１】
まず、表示部１３０にデータを表示させるための操作が、操作部１２０にて受け付けられたかどうかが、操作部１２０によって判定される（ステップＳ２１）。
【００６２】
表示部１３０にデータを表示させるための操作が、操作部１２０にて受け付けられたことが操作部１２０によって判定されると、当該操作に応じたデータが記憶部１１０から読み出され、表示部１３０に表示される（ステップＳ２２）。
【００６３】
その後、表示部１３０がデータを表示しているときに、端末装置１００が折り畳まれたかどうかが判定される（ステップＳ２３）。
【００６４】
端末装置１００が折り畳まれたと判定された場合、制限信号付与部１５０によって、表示部１３０に表示されているデータに制限信号「１」が付与される（ステップＳ２４）。
【００６５】
一方、端末装置１００が折り畳まれたと判定されない場合は、制限信号付与部１５０によって、表示部１３０に表示されているデータに制限信号「０」が付与される（ステップＳ２５）。
【００６６】
なお、端末装置１００が一度折り畳まれて、データに制限信号「１」が付与された後、端末装置１００が再度開いた状態となった場合、当該制限信号が「１」から「０」に書き換えられるものであっても良い。
【００６７】
その後、制限信号が付与されたデータが所定のタイミングで送信部１６０からサーバ２００へ送信される（ステップＳ２６）。
【００６８】
図６は、図１に示した端末装置１００の内部構造の他の例を示す図である。
【００６９】
図６に示すように、端末装置１００には、記憶部１１０と、操作部１２０と、表示部１３０と、表示モード設定部１４０と、制限信号付与部１５１と、送信部１６０と、近接センサ１７０とが設けられている。
【００７０】
記憶部１１０、操作部１２０、表示部１３０、表示モード設定部１４０および送信部１６０は、図２に示したものと同じものである。
【００７１】
近接センサ１７０は、表示部１３０に周辺に配置され、物体が表示部１３０に接近したことを検知するセンサである。また、近接センサ１７０は、物体が表示部１３０に接近したことを検知した際、その旨を制限信号付与部１５１へ通知する。この近接センサ１７０は、一般的に用いられているもので良い。この近接センサ１７０を具備させる目的は、表示部１３０が手などで覆われたことを検知することである。
【００７２】
制限信号付与部１５１は、表示部１３０がデータを表示しているときに近接センサ１７０から物体の表示部１３０への接近を検知した旨の通知を受けた場合、そのデータの利用を制限する旨を示した制限信号を当該データに付与する。このとき、制限信号付与部１５１は、表示部１３０がデータを表示しているときに近接センサ１７０から物体の表示部１３０への接近を検知した旨の通知を受けない場合、そのデータの利用を制限しない旨を示した制限信号を当該データに付与する。また、制限信号付与部１５１は、制限信号を付与したデータを送信部１６０へ出力する。
【００７３】
以下に、本形態におけるデータ利用制限方法のうち、図６に示した端末装置１００における処理について説明する。
【００７４】
図７は、本形態におけるデータ利用制限方法のうち、図６に示した端末装置１００における処理を説明するためのフローチャートである。
【００７５】
まず、表示部１３０にデータを表示させるための操作が、操作部１２０にて受け付けられたかどうかが、操作部１２０によって判定される（ステップＳ３１）。
【００７６】
表示部１３０にデータを表示させるための操作が、操作部１２０にて受け付けられたことが操作部１２０によって判定されると、当該操作に応じたデータが記憶部１１０から読み出され、表示部１３０に表示される（ステップＳ３２）。
【００７７】
その後、表示部１３０がデータを表示しているときに、近接センサ１７０によって物体が表示部１３０に接近しているかどうかが検知される（ステップＳ３３）。
【００７８】
近接センサ１７０によって物体が表示部１３０に接近していることが検知された場合、制限信号付与部１５１によって、表示部１３０に表示されているデータに制限信号「１」が付与される（ステップＳ３４）。
【００７９】
一方、近接センサ１７０によって物体が表示部１３０に接近していることが検知されない場合は、制限信号付与部１５１によって、表示部１３０に表示されているデータに制限信号「０」が付与される（ステップＳ３５）。
【００８０】
なお、近接センサ１７０によって物体が表示部１３０に接近していることが検知され、データに制限信号「１」が付与された後、当該データの表示を終了するまでの間に、近接センサ１７０によって物体が表示部１３０に接近していることが検知されなくなった場合、当該制限信号が「１」から「０」に書き換えられるものであっても良い。
【００８１】
その後、制限信号が付与されたデータが所定のタイミングで送信部１６０からサーバ２００へ送信される（ステップＳ３６）。
【００８２】
なお、制限信号が付与されてからサーバ２００へ送信するまでの間、制限信号が付与された当該データは記憶部１１０に記憶されているものであっても良い。
【００８３】
以下に、本形態におけるデータ利用制限方法のうち、図１に示したサーバ２００における処理について説明する。
【００８４】
図８は、本形態におけるデータ利用制限方法のうち、図１に示したサーバ２００における処理を説明するためのフローチャートである。
【００８５】
まず、端末装置１００から送信されてきたデータが受信されると（ステップＳ４１）、当該データに付与されている制限信号が「１」であるかどうかがサーバ２００によって判定される（ステップＳ４２）。
【００８６】
端末装置１００から送信されてきたデータに付与されている制限信号が「１」である場合、当該利用者以外がアクセス不可能なデータとして記憶部２１０に保存される（ステップＳ４３）。
【００８７】
一方、端末装置１００から送信されてきたデータに付与されている制限信号が「０」である場合、当該利用者以外もアクセス可能なデータとして記憶部２１０に保存される（ステップＳ４４）。
【００８８】
なお、データが記憶部２１０に保存された後、同じデータが端末装置１００から再送信されてきた場合、記憶部２１０にすでに保存されているデータが消去され、再送信されていたデータが当該データに付与されている制限信号に応じて記憶部２１０に記憶されるものであっても良い。つまり、データの再送信により、当該データの利用制限が更新されるものであっても良い。このとき、送信されてきたデータと、記憶部２１０にすでに保存されているデータとの一致の判定方法については、ここでは特に規定しない。
【００８９】
このように、端末装置に保存されたデータのバックアップを自動的に行うサービスにおいても、端末装置１００の表示部１３０に表示されたデータが、表示部１３０に表示されているときの端末装置１００の状態に応じて、利用制限がかけられ、利用制限を示す情報とともにサーバ２００へ送信されて保存されるため、他人にアクセスされたくないデータを、サーバ２００上での操作を行うことなく守ることができる。
【符号の説明】
【００９０】
１００    端末装置
１１０，２１０    記憶部
１２０    操作部
１３０    表示部
１４０    表示モード設定部
１５０，１５１    制限信号付与部
１６０    送信部
１７０    近接センサ
２００    サーバ
【図１】
0005605845.tif 000002
【図２】
0005605845.tif 000003
【図３】
0005605845.tif 000004
【図４】
0005605845.tif 000005
【図５】
0005605845.tif 000006
【図６】
0005605845.tif 000007
【図７】
0005605845.tif 000008
【図８】
0005605845.tif 000009